(57)【要約】【課題】大径開口部側のシール性能を低下させる事無く、ダストカバーの大径開口部における亀裂が発生する問題を効果的に解消出来るボールジョイント用ダストカバーを提供することを目的とする。【解決手段】ボールスタッドの一端に形成された球頭部がソケット内に保持され、前記ボールスタッドの他端の軸はナックルに締め付け固定され、断面略コ字形状の一端大径開口部が前記ソケットの外周面に鍔部により区画形成された環状の溝部内に２重巻きのサークリップにより固定保持され、他端小径開口部が前記軸に保持された弾性材製ボールジョイント用ダストカバーにおいて、前記大径開口部の前記２重巻きのサークリップが収まる環状の収容溝の前記鍔部側の底部に小径段差部を設けたことを特徴とする。【選択図】図３
2013130261.tif 000002
【特許請求の範囲】
【請求項１】
ボールスタッド（１）の一端に形成された球頭部（２）がソケット（３）内に保持され、前記ボールスタッド（１）の他端の軸（４）はナックル（５）に締め付け固定され、断面略コ字形状の一端大径開口部（８）が前記ソケット（３）の外周面に鍔部（３２）により区画形成された環状の溝部（３１）内に２重巻きのサークリップ（７）、（７）により固定保持され、他端小径開口部（１５）が前記軸（４）に保持された弾性材製ボールジョイント用ダストカバー（６）において、前記大径開口部（８）の前記２重巻きのサークリップ（７）、（７）が収まる環状の収容溝（８１）の前記鍔部（３２）側の底部（８１１）に小径段差部（８１２）を設けたことを特徴とするボールジョイント用ダストカバー。
【請求項２】
前記小径段差部（８１２）の軸方向長さ（Ｌ）は、前記サークリップ（７）の一本の厚さと略等しいことを特徴とする請求項１記載のボールジョイント用ダストカバー。
【請求項３】
前記小径段差部（８１２）の段差（Ｄ）は０．０５〜２ｍｍの範囲であることを特徴とする請求項１または２記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては図４に記載のボールジョイント用ダストカバーが知られている。（特許文献１）
【０００３】
この種ボールジョイント用ダストカバーのシール構造は、ボールスタッド１００の一端に形成された球頭部２００がソケット３００内に保持されている。
そして、ボールスタッド１００の他端の軸４００は、ナックル５００に締め付け固定されている。
一方、ゴム状弾性材製ダストカバー６００の断面略コ字形状の一端大径開口部８００が、ソケット３００の外周面に形成された環状の溝部３１０内に、２重巻きのサークリップ７００により固定保持され、他端小径開口部１５０が軸４００に保持された構成となっている。
２重巻きのサークリップ７００は、断面略矩形状のサークリップが使用されている。
【０００４】
この種、従来のダストカバー６００は、図４に示す様にボールスタッド１００が傾斜した状態で揺動すると、大径開口部８００は、ソケット３００の鍔部３２０とサークリップ７００との間で縮みと伸びが繰り返される。
この結果、大径開口部８００に亀裂が発生し、ダストカバー６００の機能低下を招来する危険性が有った。
特に、ダストカバー６００のゴム材料のゴム物性が低下する低温条件下において、亀裂が発生する問題が顕著であった。
【０００５】
この大径開口部８００における亀裂の発生原因は、図５に示す様に、ダストカバー６００の縮み側において、２重巻きのサークリップ７００の内周側角部７１０と鍔部３２０の外周縁部３２１により挟まれた領域Ｘにおいて屈曲が繰り返され、ダストカバー６００の伸び側においても、２重巻きのサークリップ７００の内周側角部７１０と鍔部３２０の外周縁部３２１により挟まれた領域Ｘにおいて屈曲が繰り返されるためと考えられる。
【０００６】
この為、２重巻きのサークリップ７００の締め込み量を小さくして、領域Ｘにおける疲労破損を防止する事も考えられるが、２重巻きのサークリップ７００の締め込み量を小さくすると、大径開口部８００側のシール性が低下する問題を惹起した。
【先行技術文献】
【特許文献】
【０００７】
【特許文献１】特開２００８−２２３９３２号公報
【発明の開示】
【発明が解決しようとする課題】
【０００８】
本発明は、このような課題に鑑みてなされたものであり、大径開口部側のシール性能を低下させる事無く、ダストカバーの大径開口部における亀裂が発生する問題を効果的に解消出来るボールジョイント用ダストカバーを提供することを目的とする。
【課題を解決するための手段】
【０００９】
本発明のボールジョイント用ダストカバーは、ボールスタッドの一端に形成された球頭部がソケット内に保持され、前記ボールスタッドの他端の軸はナックルに締め付け固定され、断面略コ字形状の一端大径開口部が前記ソケットの外周面に鍔部により区画形成された環状の溝部内に２重巻きのサークリップにより固定保持され、他端小径開口部が前記軸に保持された弾性材製ボールジョイント用ダストカバーにおいて、前記大径開口部の前記２重巻きのサークリップが収まる環状の収容溝の前記鍔部側の底部に小径段差部を設けたことを特徴とする。
【発明の効果】
【００１０】
本発明は、以下に記載されるような効果を奏する。
請求項１記載の発明のボールジョイント用ダストカバーによれば、大径開口部側のシール性能を低下させる事無く、ダストカバーの大径開口部における亀裂が発生する問題を解消出来る。
【００１１】
更に、請求項２記載の発明のボールジョイント用ダストカバーによれば、大径開口部側のシール性能を低下させる事無く、ダストカバーの大径開口部における亀裂が発生する問題をより確実に解消出来る。
更に、請求項３記載の発明のボールジョイント用ダストカバーによれば、大径開口部側のシール性能を低下させる事無く、ダストカバーの大径開口部における亀裂が発生する問題をより効果的に解消出来る。
【図面の簡単な説明】
【００１２】
【図１】本発明に係る、ボールジョイント用ダストカバーの縦断面図。
【図２】図１の要部拡大図。
【図３】図２のサークリップを装着する前の図。
【図４】従来技術に係る、ボールジョイント用ダストカバーの縦断面図。
【図５】図４の要部拡大図。
【発明を実施するための形態】
【００１３】
以下、本発明を実施するための形態について説明する。
図１乃至図３に示される様に、本発明に係るボールジョイント用ダストカバーは、ボールスタッド１の一端に形成された球頭部２がソケット３内に保持されている。
そして、ボールスタッド１の他端の軸４は、ナックル５に締め付け固定されている。
【００１４】
一方、弾性材製ダストカバー６の断面略コ字形状の一端側大径開口部８が、ソケット３の外周面に鍔部３２により区画形成された環状の溝部３１内に２重巻きのサークリップ７、７により固定保持され、他端側の小径開口部１５が軸４に保持された構成となっている。
このサークリップ７、７は、通常、バネ性を備えた金属材製の断面略矩形のサークリップである。
【００１５】
そして、この大径開口部８の２重巻きのサークリップ７、７が収まる環状の収容溝８１の鍔部３２側の底部８１１には、小径段差部８１２が形成されている。
この事により、２重巻きのサークリップ７、７の鍔部３２側（図上上側）のサークリップ７の内周側角部７１と鍔部３２の外周縁部３２１により挟まれた領域Ｘにおける圧縮歪みが低減される為、疲労破損を防止する事が出来る。
【００１６】
また、小径段差部８１２の軸方向長さＬは、サークリップ７の一本の厚さと略等しい設計とする事が好ましい。
この事により、一方のサークリップ７（図上下方）の大径開口部８に対する保持機能を損なう事無く、領域Ｘにおける疲労破損を防止する事が出来る。
【００１７】
また、小径段差部８１２の段差Ｄは０．０５〜２ｍｍの範囲であることが好ましい。
段差Ｄが０．０５ｍｍよりも小さくなると、サークリップ７の内周側角部７１と鍔部３２の外周縁部３２１により挟まれた領域Ｘにおける圧縮歪みの低減が制限される為、疲労破損を十分抑止する事が難しい。
段差Ｄが２ｍｍ以上になると、大径開口部８側のシール性能が低下する傾向が有る。
段差Ｄは、ダストカバーの大きさ、材質、サークリップ７の締め代等を勘案して適宜好適な大きさが選択される。
【００１８】
また、ダストカバー６の材質は、クロロプレン等のゴム状弾性材や、ポリエステル系エラストマー、熱可塑性ポリウレタン等の熱可塑性エラストマーから、適宜用途に合わせ選択して使用される。
【００１９】
また、小径開口部１５には、ナックル５と弾性接触しているダストリップを設けると共に補強環が埋設されている。
このため、外部からダストカバー６内へのダストの侵入を、より効果的に阻止出来る。
また、補強環の材質は、金属材や樹脂材が、適宜用途に合わせ選択して使用される。
【００２０】
また、本発明は上述の発明を実施するための最良の形態に限らず本発明の要旨を逸脱することなくその他種々の構成を採り得ることはもちろんである。
【産業上の利用可能性】
【００２１】
自動車の懸架装置及び操舵装置等に使用されるボールジョイントに使用できる。
【符号の説明】
【００２２】
１    ボールスタット
２    球頭部
３    ソケット
４    軸
５    ナックル
６    ダストカバー
７    サークリップ
８    大径開口部
１５  小径開口部
３１  溝部
３２  鍔部
８１  収容溝
８１１底部
８１２小径段差部
【図１】
2013130261.tif 000003
【図２】
2013130261.tif 000004
【図３】
2013130261.tif 000005
【図４】
2013130261.tif 000006
【図５】
2013130261.tif 000007